(57)【特許請求の範囲】
【請求項１】
少なくとも一以上の空気室を具えた空気注入式尿瓶において、 
前記少なくとも一以上の空気室が、柔軟な膜材によって外気から隔離されており、 
前記尿瓶が、ベース上に前記尿瓶を配置する下端部の支持面と、人間が座るための上端部とを具えており、 
前記尿瓶が更に、前記上端部と前記下端部の間に中間部分を具え、 
前記柔軟な膜材が、前記尿瓶の内部を内側膜面で囲み、前記尿瓶の外側を外側膜面で構成しており、 
前記内側膜面と前記外側膜面は、膜接合部で相互接合されており、
前記膜接合部は、前記支持面に対して実質的に垂直であり、前記尿瓶の下端部と上端部の間に部分的にのみ延在し、
前記膜接合部が、溶着として設計される直線的なプラスチック膜接合であることを特徴とする空気注入式尿瓶。 
【請求項２】
請求項１に記載の空気注入式尿瓶において、 
前記膜接合部が直線状であることを特徴とする空気注入式尿瓶。 
【請求項３】
請求項１又は２に記載の空気注入式尿瓶において、 
前記少なくとも一以上の空気室が、空気を吹き込むために少なくとも一以上のバルブを具えることを特徴とする空気注入式尿瓶。 
【請求項４】
請求項１ないし３のいずれか１項に記載の空気注入式尿瓶において、 
前記尿瓶の内部が、前記尿瓶の内部に前記空気室の内側膜面に沿って配置された追加の柔軟な膜材を具えることを特徴とする空気注入式尿瓶。 
【請求項５】
請求項４に記載の空気注入式尿瓶において、 
前記追加の柔軟な膜材が、少なくとも一以上の空気室の内側膜面に連結されていることを特徴とする空気注入式尿瓶。 
【請求項６】
請求項４又は５に記載の空気注入式尿瓶において、 
前記尿瓶の内部に追加する柔軟な膜材が、前記尿瓶の上端部を越える位置に延在しており、且つ、膜材全体が、もしくは部分的に、前記尿瓶の外側に出ていることを特徴とする空気注入式尿瓶。 
【請求項７】
請求項４ないし６のいずれか１項に記載の空気注入式尿瓶において、 
前記追加の柔軟な膜材が、引き紐縁および引き紐留めを具えていることを特徴とする空気注入式尿瓶。 
【請求項８】
請求項１ないし７のいずれか１項に記載の空気注入式尿瓶において、 
前記尿瓶の内部に、液体吸収性素材が設けられていることを特徴とする空気注入式尿瓶。
【請求項９】
請求項１ないし８のいずれか１項に記載の空気注入式尿瓶において、
前記溶着が、熱接触溶着又は高周波電磁溶着であることを特徴とする空気注入式尿瓶。
【請求項１０】
請求項１ないし９のいずれか１項に記載の空気注入式尿瓶において、
前記内側膜面及び前記外側膜面が、前記尿瓶の中央部分で当該２つの膜面を溶着することによって、膜接合部で相互接合されていることを特徴とする空気注入式尿瓶。
【請求項１１】
請求項１ないし８のいずれか１項に記載の空気注入式尿瓶において、
前記尿瓶が、一つの空気室のみを具えることを特徴とする空気注入式尿瓶。
【発明の詳細な説明】
【技術分野】
【０００１】
この発明は、空気注入式容器、望ましくは尿瓶あるいは薬品庫型トイレに関し、空気を注入した状態の容器は少なくとも一つ以上の好ましくは大気圧用の空気室を具え、この少なくとも一つ以上の空気室は、柔軟な膜材によって周囲の雰囲気から隔離されており、この容器はその下端に、ベース上に容器を置くための支持面を具え、この容器は好ましくは人間がそこに座れる上端部を具え、この容器は更に上端部と下端部の間に中央部を具えており、膜材でできた空気室は、内側膜面で容器の内部を囲っており、外側膜面で容器の外形面を構成している。
【背景技術】
【０００２】
トイレの使い方を学んでいる幼児や失禁問題を抱えている成人のように、トイレの近くに居る必要がある人間にとって、永久設置型水洗便所の近くにいること、あるいはその代わりに薬品庫型便器もしくは尿瓶を携行することは、行動の自由の実質的な制約となりえる。
【０００３】
都市部を離れて旅に出たり、必要な施設が遠くにある自然の中に行くに際してはとりわけ面倒なことであり、これらの装置を携行する実現性は、小さなバッグやポケットに入れることに限られる。
【０００４】
ここ数年、薬品庫型携帯便器や尿瓶としての役を果たす空気注入式容器についての様々な解決策が案出されてきている。
【０００５】
子供向けの空気注入式のオマルに関するＷＯ９１／０３１９９公報に一例が示されている。基本的にこれは、膨らませて重ね合わせたドーナツ型の二つのユニットで構成されていて、両リングを膨らませたときに、上層リングの外径が下層リングよりも小さい。このデザインが尿瓶としての良好な安定性を意図してなされていたとしても、充分な安定性が維持されているかどうかは、そのような尿瓶がどれだけの高さを稼げるかと云う点で限界が有る。これは、尿瓶がむしろ低く、床に着いた使用者の足に下層リングが当たってしまい、この設計の尿瓶は殆どの人間にとって不適なものになってしまうように設計されている。
【０００６】
英国特許ＧＢ２２２０５６６Ａ公報は、同じ大きさの三つのトーラス状リングとしてデザインされた空気注入式尿瓶を示している。この尿瓶は、小さな横方向の動きでも尿瓶に弾性変形が生じるので、使用者には大変に不安定なものとなる。じっとしていられない子供が横方向に尿瓶を押してしまうと、このデザインによる尿瓶にかかる横方向の力は、尿瓶の支持面の一方の側でかなり変形してしまい、瓶が傾いて転倒することがある。
【０００７】
（発明の目的）
この発明は、空気を注入した状態で、使用者に快適な座面高を有し、安定した着座位置をもたらす、ハンドバッグやポケットその他に入れて容易に携行できる空気注入式容器を提供することを目的とする。
【０００８】
（発明の説明）
この発明によれば、この目的が、導入部で述べられた種類の装置として実現され、内側膜面と外側膜面が少なくとも一つ以上の膜接合部によって相互接合されていると云う点で特有なものであり、望ましくは、容器中間部で二つの膜面が溶着されていて、少なくとも一以上の膜接合部が、容器の上端と下端の間で部分的もしくは全体的に延在している。
【０００９】
これによって優れた安定性が達成される。すなわち、支持面と平行に、容器上端に掛かる力が伝播する最適実現性が、ベース上に配置した支持面の大部分において力の作用を吸収するように作られていることで実現される。このベースへの力の伝達動作は、この発明による膜接合部に沿ってディスク動作によって、膜接合部を設定したことによってできた部分的な空気室の間を通って線弾力が伝達されるため、改善される。これは図１の説明によって詳細に解説されている。
【００１０】
安定性が高まるということは、例えば、じっとしていられない子供が尿瓶の上端を横方向に押してしまうような場合に、優れた利点になる。従来技術による尿瓶に掛かる横方向の力の作用は、尿瓶の支持面の片側にかなりの変形を生じさせることになり、瓶を傾けて転倒させることがある。
【００１１】
この発明の尿瓶によれば、膜接合部とその各側部によってできた部分的空気室が、静力学に関して「ディスク」と呼ばれる力学体系のように作用するので、傾けたり倒したりすることが是正される。この部分的空気室のディスク動作によって、部分的空気室同士が互に支え合い、膜接合部に沿ったその形状に起因する剪断力が支持面に伝わり、これによって、膜接合部が支持面に近づく全ての箇所でベースに伝わる。
【００１２】
好ましい実施例において、少なくとも一つ以上の膜面接合部が、支持面に対して実質的に垂直である。
【００１３】
本発明のこのような実施例によれば、これは、この構造体において「ディスク」として機能し得る最大数の部分的空気室と、この構造体の中で膜接合部に沿って剪断力を伝える最短経路を示唆しているので、最も強力で最も安定した可能性の有る解決策が達成される。換言すると、支持面と平行に力を吸収するディスクとして作用する部分的空気室が多いほど、また、膜接合部に沿って発生する剪断力の伝播経路が短いほど、この力の作用はより好都合且つより速く支持面に分散されることになり、このことは、考えられる全てにおいて、支持面での容器の変形がより少なくなることを意味する。
【００１４】
特に好ましい実施例においては、少なくとも一以上の膜接合部が直線である。簡単な膜接合を示唆しており、これは様々なアクセス可能な接合方法をプラスチックフィルムなどの柔軟な膜に用いることによって、容易に提供される。
【００１５】
直線的なプラスチック膜接合は、例えば、外側膜と内側膜との溶着として設計することができ、熱接触溶着あるいは高周波電磁溶着で行うことができる。
【００１６】
直線的な膜接合によって、様々な魅力的な有機的かつ幾何学的パターンを作ることが可能となる。
【００１７】
更に好ましい実施例においては、容器の少なくとも一つ以上の空気室には、少なくとも一つ以上の空気注入用、すなわち人間が息を吹き込む、バルブが設けられている。
【００１８】
これによって、容器は、硬質素材あるいは柔素材でできた吹込みチューブによって空気を注入することができる。吹込みチューブは、容器に予め装着しておくのがよく、柔軟な素材でできているのがよい。このことは、使用中に、充分に安定させるためには容器をもっと膨らませるべきであることが明らかな場合に、より多くの空気を空気注入式の容器に供給するために、有利なオプションをユーザーに提供する。
【００１９】
バルブは、空気注入式ユニットによく利用される方法で作ることができ、ここでは、バルブに簡単に確実に空気を注入できる柔軟なフラップが設けられているが、これは空気室からの空気をバルブ経由で逃がすことができるように、例えばバルブを絞るといった機械的動作が必要である。
【００２０】
とりわけ好ましい実施例においては、容器内部に、空気室の内側膜面に沿って、更なる柔軟な膜、望ましくは内袋を具えていてもよい。
【００２１】
この手法によれば、容器の内側膜の強化が図れることで漏れの傾向がより低くなるであろうことから、内容物が容器内に残り留まる確実性が高くなる。
【００２２】
更に、内袋は交換可能なものとし、それによって空気注入式容器を再利用する可能性が実現する。そのような再利用可能な容器は更に、内袋の底によって形成されることになる追加の柔軟な膜材によって容器内部が下方で仕切られることになるため、底の無いものにしてもよい。
【００２３】
更に、とりわけ好ましい実施例においては、この追加の柔軟な膜材は、少なくとも一以上の空気室の内側膜面に連結されており、好ましくは、少なくとも一以上の膜接合部において、内側膜面に溶着されている。
【００２４】
これによって、確実に内袋が飛び出さなくなる。同時に、内袋の底が容器の底を兼ねるように構成して、容器のデザインをとてもシンプルなものにすることができる。
【００２５】
さらに、この発明は、容器内部の追加の柔軟な膜材が、容器上端において及び、容器の外面において全体的あるいは部分的に、容器を越えた位置まで延びていることが好ましい。
【００２６】
この実施例は、内袋が容器周囲で折り返されて、内袋の内面が外に向くので、ことのほか衛生的な解決策を提供する。使用後に内袋を折畳んで結び、これによって、使用中に尿などに晒された尿瓶の全部分が、内袋の中に封入される。
【００２７】
実用可能な実施例において、追加の柔軟な膜材は、引き紐縁と引き紐綴じを具えており、追加の膜のエッジを閉じることが好ましい。これによって、使い捨て可能な尿瓶は、空気に触れる前に紐で閉めることができることになり、内容物が不注意に外に出てしまうことが防止される。
【００２８】
また、容器上端に引き紐綴じを設けることも可能で、これは例えば追加の膜材が無い設計に見ることができる。さらに、引き紐が付いた引き紐縁は、容器がまだ膨らんだ状態に在る間にこれを全体的あるいは部分的に閉じることができるように、容器の上端の近くに設定するようにしてもよい。
【００２９】
引き紐および引き紐縁は、柔軟な膜材に関連するこのような解決策を確立するための現行のすべての方法によって提供可能である。
【００３０】
さらに、容器の内部に、望ましくは容器内部の下端のインサートとして、液体吸収材を設けるというオプションもある。
【００３１】
この設計によって、使用中に糞尿がはねたりビチャビチャしなくなることが確実であり、使用者の快適感が強化される。
【００３２】
更に、空気注入式容器を自己膨張型とすることは、この発明による一つの可能性である。これは、容器の空気室内側に柔軟な多孔質素材を追加することによって達成され、この容器は可塑的に変形することなく圧縮される。この柔軟な多孔質素材は、圧力が掛かかると弾性変形が生じ、圧力が除去されるともとの形に戻る。
【００３３】
この発明で示すような膜接合部の設定と、その結果として得られる部分的な空気室の実現性は、この発明による最終製品のデザインに多大な自由度を提供する。この空気注入式の容器は、水平方向及び垂直方向双方にみて、どのような種類の設計でも提供することができる。更に、膜接合部は、無数のパターンすなわち時宜に合った現代的デザインの採用に適合するよう形成できる。
【図面の簡単な説明】
【００３４】
添付図面を参照して、本発明を以下に説明する。
【図１】図１ａは、水平方向の力を吸収するようにした従来技術を示す。図１ｂは、水平方向の力を吸収するようにした本発明を示す。
【図２】図２ａ乃至図２ｃは、この発明による容器の様々な実施例を示す。
【図３】図３は、追加の膜を有する空気注入式容器の断面を示す。
【００３５】
（発明の詳細な説明）
図１ａには、従来の空気注入式尿瓶が示されている。ここでは、三つのドーナツ形リング２が互いに重なっている。空気注入式コンテナ１の上側部分４に掛かる水平方向の力３は、容器４全体に対する一体化されたディスク動作によって、この力３を容器４が吸収させようとする。その結果、容器の支持面７で、持上がる力５と圧縮する力６とがそれぞれ発生する。支持面７の圧縮する力６が生じる部分では、ドーナツ形のリング２の形成用の柔軟な膜材８を使用して、ただちに弾性変形９が生じ、その最も外側で、結果として容器４が転倒してしまう。
【００３６】
図１ｂには、本発明による空気注入式容器１０が膨張した状態で示されている。容器１０は柔軟な膜材１２によって周囲の大気から隔離された一の空気室１１を具えている。容器１０は、その下端部１４に支持面１３を設けて、ベース１５の上に容器を置くようにしている。この容器には、上端部１６があり、上端部１６と下端部１４の間に中間部分１７を具える。
【００３７】
空気室１１は、容器の内部１８を内側膜面１９で囲っており、容器１０の外側２０は外側膜面２１で構成されている。内側膜面１９と外側膜面２１は、複数の膜接合部２２で相互接合されている。図１ｂには、容器の中間部分１７に５箇所の膜接合部２２が見られる。
【００３８】
支持面１５に平行に、容器１０の上端部１６に力２３が加わる。膜接合部２２の間に部分的に空気室２４があらわれ、膜接合部２２の剪断力２５を伝達する特性に基づいて、力２３を吸収するディスクアクション効果が生じる。剪断力２５は、支持面１５に伝達され、そこで、膜接合部２２直下の各領域２８において、持上げる力２５と圧縮する力２７が生じる。この力２３の作用は、共通に生じる力２３の強さによって、多数のサブ領域２８にて吸収されるように分散されるので、これらの領域では、深刻な弾性変形を起こすことはない。
【００３９】
図２ａは、代替的に、本発明による膜接合部２２の選択的設計を示す。膜接合部２２は、ここでは、内側膜面１９と外側膜面２１とが、矩形領域２９において規則的なパターンで溶着する形をとっており、ここでは二つの矩形領域２９が互いに連続して配置されており、２番目の矩形領域２９は、二つの矩形領域２９の中央に、この領域に対してオフセットして配置されている。
【００４０】
図２ｂは、膜接合部２２の代替の選択的な実施例を示しており、ここでは直線コース３０にジグザグパターンをとっている。膜接合部の直線コース３０には中断箇所が有ってもよく、この箇所は図面に二つの地点３１で示されている。
【００４１】
図２ｃは、容器１０の代替の実施例を示し、それは、より二次的形状をとっている。この容器は１６個の縦型部分空気室３２で構成されていて、容器１０の下端部１４と上端部１６の間にその全高に亘って延在する膜接合部２２によって互いに分離されている。容器の支持面１３には下にある柔軟な膜材３３が示されており、これは、各部分空気室３２の底部に設置されたバルブ（図示せず）を介して、注入した空気を各縦型部分空気室３２に分配する、内部空気流路（図示せず）を具える。
【００４２】
図３は、実現可能性が有る実施例の原理を示すものであり、容器内部１８の内側膜面１９に沿って、内袋３５の形の追加の柔軟な膜材３４が配置されている。内袋３５が容器内部１８の底部３６を構成しているので、容器１０はここでは底がないものが示されている。内袋３５は、容器の上端部１６と容器の外側面２１において、さらなる位置まで続いており、内袋３５の内面３７が外側をむくように、容器１０の上縁の周囲で下方に折り返されている。使用後に内袋３５は折畳まれ、結び目あるいは紐留めで閉じて、引き紐縁に連結して、使用中に尿その他に晒された容器１０の部分はすべて、内袋３５の内部に封入されるようになる。
【図１ａ】
0005619612.tif 000002
【図１ｂ】
0005619612.tif 000003
【図２ａ】
0005619612.tif 000004
【図２ｂ】
0005619612.tif 000005
【図２ｃ】
0005619612.tif 000006
【図３】
0005619612.tif 000007